(57)【要約】　　　（修正有）【課題】有機ＥＬ表示装置の輝度の経時変化を補償する技術を提供する。【解決手段】複数の走査線と、複数の信号線と、電気光学素子とを備え、電気光学素子に供給する駆動電流の量に応じて輝度を補償する。電気光学素子の輝度を検出する輝度検出部と、電気光学素子の輝度を補正すべく、輝度検出部で得られた輝度検出結果に基づき駆動電流量を調整する駆動電流量調整部とを備える。【選択図】　図１
2004029714.tif 000002
【特許請求の範囲】
【請求項１】
複数の走査線と、複数の信号線と、これら各前記走査線と各前記信号線との交差部に対応して配設された電気光学素子とを備え、前記電気光学素子に供給する駆動電流の量に応じて動作する電気光学装置であって、
前記電気光学素子の輝度を検出する輝度検出部と、
前記輝度検出部で得られた輝度検出結果に基づき前記駆動電流量を調整する駆動電流量調整部と、
を備えることを特徴とする電気光学装置。
【請求項２】
複数の走査線と、複数の信号線と、これら各前記走査線と各前記信号線との交差部に対応して配設された電気光学素子とを備えた電気光学装置であって、
デジタルデータをアナログ変換するＤＡコンバータを含み、前記電気光学素子にアナログデータを供給するドライバと、
前記電気光学素子の輝度を検出する輝度検出部と、
前記輝度検出部で得られた輝度検出結果に基づき前記ＤＡコンバータの基準電圧を調整する基準電圧調整部と、
を備えることを特徴とする電気光学装置。
【請求項３】
複数の走査線と、複数の信号線と、これら各前記走査線と各前記信号線との交差部に対応して配設された電気光学素子とを備えた電気光学装置であって、
前記電気光学素子に輝度データを供給するドライバと、
前記ドライバに前記輝度データの基となるデジタルデータを供給する制御回路と、
前記電気光学素子の輝度を検出する輝度検出部と、
前記輝度検出部で得られた輝度検出結果に基づき前記デジタルデータを補正するデータ補正回路と、
を備えることを特徴とする電気光学装置。
【請求項４】
請求項１乃至３のいずれかに記載の電気光学装置において、
前記電気光学素子は、Ｒ（赤）、Ｇ（緑）、Ｂ（青）の３種類の電気光学素子を含み、
前記輝度検出部は前記３種類の電気光学素子の種類毎に前記輝度を検出すること、
を特徴とする電気光学装置。
【請求項５】
請求項１乃至３のいずれかに記載の電気光学装置において、
前記電気光学素子は、Ｒ（赤）、Ｇ（緑）、Ｂ（青）の３種類の電気光学素子を含み、
前記３種類の電気光学素子は、前記３種類の電気光学素子に共通の光源が発した光が前記３種類の電気光学素子の各々に対応して設けられた色変換部を通過することにより、Ｒ（赤）、Ｇ（緑）、Ｂ（青）に発色し、
前記輝度検出部は、前記共通の光源の輝度を前記電気光学素子の輝度として検出すること、
を特徴とする電気光学装置。
【請求項６】
請求項１に記載の電気光学装置において、
前記電気光学素子は、Ｒ（赤）、Ｇ（緑）、Ｂ（青）の３種類の電気光学素子を含み、
前記３種類の電気光学素子は、前記３種類の電気光学素子に共通の光源が発した光が前記３種類の電気光学素子の各々に対応して設けられた色変換部を通過することにより、Ｒ（赤）、Ｇ（緑）、Ｂ（青）に発色し、
前記輝度検出部は、前記３種類の電気光学素子の少なくともいずれかの前記色変換部を通過する光を前記電気光学素子の輝度として検出すること、
を特徴とする電気光学装置。
【請求項７】
請求項１乃至６のいずれかに記載の電気光学装置において、
前記輝度検出部による前記輝度検出が可能な状態であるか否かを判定する輝度検出可能判定部を更に備えることを特徴とする電気光学装置。
【請求項８】
請求項１乃至５のいずれかに記載の電気光学装置において、
前記輝度検出部によって検出された前記電気光学素子の前記輝度に基づき、前記輝度検出部による前記輝度検出が可能な状態であるか否かを判定することを特徴とする電気光学装置。
【請求項９】
請求項１乃至８のいずれかに記載の電気光学装置が実装されてなる電子機器。
【請求項１０】
複数の走査線と、複数の信号線と、これら各前記走査線と各前記信号線との交差部に対応して配設された電気光学素子とを備えた電気光学装置の駆動方法であって、
前記電気光学素子の輝度を検出する第１のステップと、
前記前記輝度の検出結果に基づき前記駆動電流量を調整する第２のステップと、
を備えることを特徴とする電気光学装置の駆動方法。
【請求項１１】
複数の走査線と、複数の信号線と、これら各前記走査線と各前記信号線との交差部に対応して配設された電気光学素子と、デジタルデータをアナログ変換するＤＡコンバータを含み、前記電気光学素子にアナログデータを供給するドライバと、を備えた電気光学装置の駆動方法であって、
前記電気光学素子の輝度を検出する第１のステップと、
前記第１のステップで得られた検出結果に基づき前記ＤＡコンバータの基準電圧を設定する第２のステップと、
を備えることを特徴とする電気光学装置の駆動方法。
【請求項１２】
複数の走査線と、複数の信号線と、これら各前記走査線と各前記信号線との交差部に対応して配設された電気光学素子とを備え、ドライバを介して前記電気光学素子に輝度データを供給する電気光学装置の駆動方法であって、
前記電気光学素子の輝度を検出する第１のステップと、
前記第１のステップで得られた検出結果に基づき前記デジタルデータを補正する第２のステップと、
を備えることを特徴とする電気光学装置の駆動方法。
【請求項１３】
請求項１１または１２に記載の電気光学装置の駆動方法であって、
前記第１のステップにおいて、Ｒ、Ｇ、Ｂ（赤、緑、青）の三色別に輝度を検出することを特徴とする電気光学装置の駆動方法。
【請求項１４】
請求項１０乃至１３のいずれかに記載の電気光学装置の駆動方法において、
前記第１のステップに先立ち、
予め当該輝度検出が可能な状態であるか否かを判定することを特徴とする電気光学装置の駆動方法。
【請求項１５】
請求項１０または１４に記載の電気光学装置の駆動方法において、
検出された前記電気光学素子の前記輝度に基づき、前記輝度検出部による前記輝度検出が可能な状態であるか否かを判定することを特徴とする電気光学装置の駆動方法。
【発明の詳細な説明】
【０００１】
【発明の属する技術分野】
本発明は、電気光学装置、その駆動方法、及び電子機器に関する。
【０００２】
【従来の技術】
例えば有機ＥＬ（エレクトロルミネッセンス）表示装置においては、これを構成する有機ＥＬ素子の点灯輝度の経時劣化が、無機ＥＬ表示装置に比べ、大幅に速いという事情がある。つまり、点灯時間が累積してくると、輝度の低下が目立ってくる。具体的には、無機ＥＬ表示装置では、その寿命も１０万時間を越え、輝度の低下がほとんど見られない。これに対し、有機ＥＬ表示装置では、例えば３００ｃｄ／ｍ２の輝度で点灯させると、１万時間程度が限界であった。
【０００３】そこで、特許文献１及び特許文献２に記載されているように製造方法を改良することで対処している。
【特許文献１】特開平１１−１５４５９６号公報
【特許文献２】特開平１１−２１４２５７号公報
【０００４】
【発明が解決しようとする課題】
しかしながら、現実には、製造方法の改良技術というアプローチでは輝度低下の発生を完全に防止することは困難である。本発明は、このような問題を解決するものであり、その目的は、回路技術的なアプローチにより、輝度の経時変化を補償する技術を提供することにある。
【０００５】
【課題を解決するための手段】
本発明の第１の電気光学装置にあっては、複数の走査線と、複数の信号線と、これら各前記走査線と各前記信号線との交差部に対応して配設された電気光学素子とを備え、前記電気光学素子に供給する駆動電流の量に応じて動作する電気光学装置であって、前記電気光学素子の輝度を検出する輝度検出部と、前記電気光学素子の前記輝度を補正すべく、前記輝度検出部で得られた輝度検出結果に基づき前記駆動電流量を調整する駆動電流量調整部とを備えることを特徴とする。
なお、前記駆動電流量は、前記駆動電流の値と、前記電気光学装置に前記駆動電流を供給する期間の長さとにより規定される。
【０００６】
本発明の第２の電気光学装置は、複数の走査線と、複数の信号線と、これら各前記走査線と各前記信号線との交差部に対応して配設された電気光学素子とを備えた電気光学装置であって、デジタルデータをアナログ変換するＤＡコンバータを含み、前記電気光学素子にアナログデータを供給するドライバと、前記電気光学素子の輝度を検出する輝度検出部と、前記輝度検出部で得られた輝度検出結果に基づき前記ＤＡコンバータの基準電圧を調整する基準電圧調整部と、を備えることを特徴とする。
本発明の第３の電気光学装置は、複数の走査線と、複数の信号線と、これら各前記走査線と各前記信号線との交差部に対応して配設された電気光学素子とを備えた電気光学装置であって、前記電気光学素子に輝度データを供給するドライバと、前記ドライバに前記輝度データの基となるデジタルデータを供給する制御回路と、前記電気光学素子の輝度を検出する輝度検出部と、　前記輝度検出部で得られた輝度検出結果に基づき前記デジタルデータを補正するデータ補正回路と、を備えることを特徴とする。
【０００７】
液晶装置やエレクトロルミネッセンス装置などの通常の電気光学装置は、Ｒ（赤）、Ｇ（緑）、Ｂ（青）の３種類の電気光学素子を含んでいることが多い。そのような電気光学装置においては、前記電気光学素子は、Ｒ（赤）、Ｇ（緑）、Ｂ（青）の３種類の電気光学素子を含み、前記輝度検出部は前記３種類の電気光学素子の種類毎にに前記輝度を検出し、前記駆動電流量調整部は検出された前記種類毎の前記輝度に基づき前記駆動電流量を調整するようにしてもよい。
前記３種類の電気光学素子が、前記３種類の電気光学素子に共通の光源が発した光が前記３種類の電気光学素子の各々に対応して設けられた色変換部を通過することにより、Ｒ（赤）、Ｇ（緑）、Ｂ（青）に発色する場合は、前記輝度検出部は、前記共通の光源の輝度を前記電気光学素子の輝度として検出するようにしてもよく、あるいは前記３種類の電気光学素子の少なくともいずれかの前記色変換部を通過する光を前記電気光学素子の輝度として検出するようにしてもよい。
【０００８】
さらに、前記輝度検出部による前記輝度検出が可能な状態であるか否かを判定する輝度検出可能判定部を更に備えることが好ましい。
【０００９】
さらにまた、前記輝度検出部によって検出された前記電気光学素子の前記輝度に基づき、前記輝度検出部による前記輝度検出が可能な状態であるか否かを判定することとしてもよい。
【００１０】
また、本発明に係る電子機器にあっては、前述した電気光学装置が実装されてなる。
【００１１】
本発明の第１の電気光学装置の駆動方法にあっては、複数の走査線と、複数の信号線と、これら各前記走査線と各前記信号線との各交差部に対応してそれぞれ配設された電気光学素子とを備え、前記電気光学素子に供給する駆動電流の量に応じて動作する電気光学装置の駆動方法であって、前記電気光学素子の輝度を検出する第１のステップと、前記第１のステップで得られた検出結果を基に前記駆動電流量を調整する第２のステップを含むことを特徴とする。
【００１２】
本発明の第２の電気光学装置の駆動方法は、複数の走査線と、複数の信号線と、これら各前記走査線と各前記信号線との交差部に対応して配設された電気光学素子と、デジタルデータをアナログ変換するＤＡコンバータを含み、前記電気光学素子にアナログデータを供給するドライバと、を備えた電気光学装置の駆動方法であって、前記電気光学素子の輝度を検出する第１のステップと、前記第１のステップで得られた検出結果結果に基づき前記ＤＡコンバータの基準電圧を設定する第２のステップと、を備えることを特徴とする。
本発明の第３の電気光学装置の駆動方法は、複数の走査線と、複数の信号線と、これら各前記走査線と各前記信号線との交差部に対応して配設された電気光学素子とを備え、ドライバを介して前記電気光学素子に輝度データを供給する電気光学装置の駆動方法であって、前記電気光学素子の輝度を検出する第１のステップと、前記第１のステップで得られた検出結果に基づき前記デジタルデータを補正する第２のステップと、を備えることを特徴とする。
上記の電気光学装置の駆動方法の前記第１のステップにおいて、好ましくは、Ｒ、Ｇ、Ｂ（赤、緑、青）の三色別に前記輝度を検出することが好ましい。
【００１３】
また、前記第１のステップに先立ち、予め当該輝度検出が可能な状態であるか否かを判定することとしてもよい。
【００１４】
さらに、検出された前記電気光学素子の前記輝度に基づき、前記輝度検出部による前記輝度検出が可能な状態であるか否かを判定することとしてもよい。
【００１５】
なお、本発明にあっては、画素の色として、Ｒ、Ｇ、Ｂ（赤、緑、青）の三色だけに限らず、他の色でもよい。
【００１６】
本発明の他の特徴については、添付図面及び以降の記載により明らかにされる。
【００１７】
【発明の実施の形態】
本発明の一実施の形態を説明する。本形態では、電気光学装置として、有機エレクトロルミネッセンス素子（以下、有機ＥＬ素子と称する）を用いた表示装置（以下、有機ＥＬ表示装置と称する）、及び、その駆動方法を例にとり説明する。
【００１８】
まず、有機ＥＬ表示装置について簡単に説明する。有機ＥＬ表示装置を構成する有機ＥＬパネルは、よく知られているように、有機ＥＬ素子を含む単位画素をマトリクス状に配列して形成されている。単位画素の回路構成及び動作としては、例えば名称が「電子ディスプレイ」（松本正一著，株式会社オーム社刊，平成８年６月２０日発行）の書籍に記載されているように（主として第１３７頁）、各単位画素へ駆動電流を供給することにより、二つのトランジスタとキャパシタで構成されるアナログメモリに所定の電圧を書き込むことで有機ＥＬ素子の点灯（点灯）を制御している。
【００１９】
本発明に係る実施の形態では、有機ＥＬ表示装置の表示パネルの輝度を輝度センサで検出して、その検出結果に基づいて輝度を補正する。
【００２０】
＝＝＝＝＝第一実施例＝＝＝＝＝
図１（ａ）に示すように、本実施例に係る有機ＥＬ表示装置は、フォトダイオードやＣＣＤ素子、Ｃ−ＭＯＳ素子等で構成される輝度センサ１０、ＡＤＣ（アナログ−デジタル変換回路）２０、有機ＥＬパネル制御回路３０、ＤＡＣ（デジタル−アナログ変換器）４０、及びデジタルデータに対応するデータ電流を生成する電流生成回路を含むドライバ５０、及び有機ＥＬパネル６０で構成される。有機ＥＬパネル制御回路３０は、図１（ｂ）に示すように、比較器３０ａ、輝度テーブル３０ｂ、出力電圧テーブル３０ｃ、及びセレクタ３０ｄで構成される。
【００２１】
なお、輝度センサ１０には、有機ＥＬパネル６０の点灯光以外の外光を検出しないよう、遮光されているか否かを判断する手段が設けられている。この遮光部については後述する実用例で説明する。また、有機ＥＬパネル制御回路３０は、各機能を実現する回路によりハードウエア構成する、あるいはマイコンを利用してソフトウエアにより機能を実現することができる。
なお、上述のように有機ＥＬパネル６０は、Ｒ（赤）、Ｇ（緑）、及びＢ（青）のそれぞれに対応した発光色を示す発光層を備えた複数の有機ＥＬ素子により構成してもよいし、共通の白色光源から発せられた光をＲ（赤）、Ｇ（緑）、及びＢ（青）に変換する色変換層をＲ（赤）、Ｇ（緑）、及びＢ（青）に対応して設けた複数の有機ＥＬ素子により構成することもできる。
【００２２】
先ず、全体的な動作を説明すると、有機ＥＬパネル６０から発せられる光を輝度センサ１０で検出し、検出結果として電圧ＥｏｕｔをＡＤＣ２０へ出力する。これをＡＤＣ２０はデジタル信号に変換して有機ＥＬパネル制御回路３０へ出力する。このデジタル信号が入力された比較器３０ａは、不揮発メモリ等に記憶された所定の輝度テーブル３０ｂを参照し、検出された輝度が所定の輝度となっているか否か比較する。与えたデジタルデータｈに応じて輝度テーブル３０ｂの、検出結果Ｅｏｕｔと比較すべき輝度データを選択するようにしてもよい。
この比較結果をセレクタ３０ｄへ出力する。この比較結果が入力されたセレクタ３０ｄは、後に詳述するように、出力電圧テーブル３０ｃから比較結果に基づき、適切な基準電圧Ｖｒｅｆが出力されるよう、指令値をＤＡＣ４０へ出力する。この指令値に応じてＤＡＣ４０は、後に詳述するように、補正した基準電圧Ｖｒｅｆをドライバ５０に含まれるＤＡＣに出力する。この基準電圧Ｖｒｅｆはドライバ５０に含まれるＤＡＣにおいてデジタルデータｈをアナログ値に変換する際の基準電圧となる。このようにして、検出結果に基づいて有機ＥＬパネル６０へ供給するアナログデータが補正される。
【００２３】
次に輝度補正の具体的な手法を説明する。調整シーケンスを表す図２のフローチャートに示すように、正確な輝度を測定するために遮光状態にあるか否かを確認し（Ｓ１０）、遮光されている場合には調整（図中、キャリブレーション）を開始する（Ｓ１０：ＹＥＳ→Ｓ２０）。次に、前述した図１（ｂ）の出力電圧テーブル３０ｂを参照し、Ｒ（Ｒｅｄ、赤）、Ｇ（Ｇｒｅｅｎ、緑）、Ｂ（Ｂｌｕｅ、青）の各色毎に基準電圧Ｖｒｅｆを決定していく（Ｓ３０乃至Ｓ８０）。
なお、有機ＥＬパネル６０が共通の白色光源から発せられた光をＲ（赤）、Ｇ（緑）、及びＢ（青）に変換する色変換層をＲ（赤）、Ｇ（緑）、及びＢ（青）に対応して設けた複数の有機ＥＬ素子により構成されている場合は、当該共通の白色光源の輝度を検出するようにしてもよいし、Ｒ（赤）、Ｇ（緑）、及びＢ（青）のうち、少なくともどれか一色の輝度を検出するようにしてもよい。
【００２４】
＝＝＝＝＝第二実施例＝＝＝＝＝
本実施例では、第一実施例のような出力電圧テーブルを用いることなく、輝度を測定しつつ、基準電圧Ｖｒｅｆを補正して目標輝度になるまで調整する。したがって、本実施例の全体構成としては、図１（ａ）の通りであるが、有機ＥＬパネル制御回路３０としては、図１（ｂ）の構成でなく、図３に示す調整シーケンスを実現するプログラマブルマイコン等で構成する。この点、第一実施例に比べて回路規模を小さくできる。この点以外は、前述した第一実施例と共通するため、相違点を中心に説明する。
【００２５】
具体的には、図３に示すように、遮光状態にあるか否かを確認し（Ｓ１０）、遮光されている場合には調整（図中、キャリブレーション）を開始する（Ｓ２０）。次に、Ｒ（Ｒｅｄ、赤）、Ｇ（Ｇｒｅｅｎ、緑）、Ｂ（Ｂｌｕｅ、青）の各色毎に基準電圧Ｖｒｅｆを順次決定していく（Ｓ１０乃至Ｓ１２０）。この際、図６の画像データ値に対する輝度センサの出力電圧Ｅｏｕｔの特性グラフに示すように、両者の理想的な関係は、各色毎に目標値（ＥＧｔｇｔ、ＥＢｔｇｔ、ＥＲｔｇｔ）を中心として目標調整範囲として定められている。この理想的な対応関係となるよう、各色毎に適宜な調整ステップ電圧（Ｒｓｔｅｐ、Ｇｓｔｅｐ、Ｂｓｔｅｐ）を設けて各色毎の基準電圧ＶｒｅｆＲ、ＶｒｅｆＧ、ＶｒｅｆＢを補正する。
【００２６】
先ず、赤色（Ｒｅｄ）の輝度補正を例に取り説明すると、図３に示すように、輝度センサの出力電圧ＥＲ（Ｅｏｕｔ）が図４の目標調整範囲内であれば（Ｓ５０：ＹＥＳ）、他の色の輝度補正行い、そうでなければ（Ｓ５０：ＮＯ）、基準電圧ＶｒｅｆＲの調整を行う（Ｓ６０）。その目標調整範囲とは、輝度センサの出力電圧ＥＲがその目標値ＥＲｔｇｔの０．９倍乃至１．１倍の範囲である。この範囲を下回った場合には、基準電圧ＶｒｅｆＲに調整ステップ電圧Ｒｓｔｅｐを加算して、基準電圧Ｖｒｅｆを上げることで低下した輝度を目標値へ近づけるように制御する。反対に、この範囲を越えた場合には、基準電圧ＶｒｅｆＲに調整ステップ電圧Ｒｓｔｅｐを減算して、基準電圧Ｖｒｅｆを下げることで高くなり過ぎた輝度を目標値へ近づけるように制御する。以後、図３に示すように、Ｇｒｅｅｎ及びＢｌｕｅの各色についてでも、同様の制御を行う（Ｓ７０乃至Ｓ１２０）。
【００２７】
上記の一連のプロセスは、例えば、図５のように表わすこともできる。すなわち、有機ＥＬパネルの輝度の検出結果ＥｏｕｔをＡＤＣ２０でデジタル値の変換し、初期値（例えば、出荷時の検出結果Ｅｏｕｔのデジタルデータ）と比較し、比較結果に応じて目標値となるようにデジタルデータを補正し、この補正されたデジタルデータをＤＡＣ４０においてアナログ値に変換し、このアナログ値をドライバ５０に含まれるＤＡＣの基準電圧Ｖｒｅｆとして設定する。
上記の一連のプロセスを行う期間を適宜設定すれば、連続して使用している間にダイナミックに輝度補正を行うことができる。
【００２８】
上述の例では、輝度の検出結果に基づいてドライバ５０に含まれるＤＡＣの基準電圧Ｖｒｅｆを調整しているが、これ以外に、駆動電圧やデータそのものを検出結果に応じて調整あるいは加工することも可能である。
例えば、図６に示すように検出結果ＥｏｕｔをＡＤＣ２０にてデジタル信号に変換して有機ＥＬパネル制御回路内の比較器３０ａに入力し、比較器３０ａにて、不揮発メモリ等に記憶された所定の輝度テーブル３０ｂを参照し、補正前の輝度に対して検出した輝度が所望の適正値となっているかどうかを比較する。この比較結果をセレクタ３０ｄへ出力する。
なお、検出する際には予め設定した所定のデジタル信号が入力された際の輝度を検出し、その検出結果に対応するデータ（すなわち初期データ）を輝度テーブル３０ｂに格納し、この初期データと比較することが好ましい。
この比較結果が入力されたセレクタ３０ｄは、駆動電圧テーブル３０ｅのデータから適切なデータを選択し、電源回路７０に含まれるＤＡＣに出力する。このＤＡＣの出力が有機ＥＬパネルに供給する駆動電圧Ｖｏｅｌを決定する。
【００２９】
また、図７に示すようにデジタルデータそのものを検出結果Ｅｏｕｔに応じて加工するようにしてもよい。この場合、検出結果ＥｏｕｔをＡＤＣ２０にてデジタル信号に変換して有機ＥＬパネル制御回路内の比較器３０ａに入力し、比較器３０ａにて、不揮発メモリ等に記憶された所定の輝度テーブル３０ｂを参照し、補正前の輝度が所望の輝度となっているか否か比較する。この比較結果をセレクタ３０ｄへ出力し、この出力に基づいて出力データテーブルの中から適切なデータを選択し、データ補正回路８０で行われる基準値を設定する。データ補正回路８０で補正されたデジタルデータｍがドライバ５０に含まれるＤＡＣに入力された後、アナログ変換され、アナログデータｉｏｕｔが有機ＥＬパネルに供給されることとなる。
図６及び図７に示した例は、図５に示したようなダイナミックな輝度補正にも適用可能である。
なお、有機ＥＬ素子の発光効率は環境温度に依存することもあるので、そのような場合、輝度を検出する代わりに温度を測定し、上述と同様な方法で、有機ＥＬパネルのフィードバックすることも可能である。
【００３０】
＝＝＝＝＝本発明の電気光学装置の搭載例＝＝＝＝＝
前述した有機ＥＬ表示装置を、折り畳み式であって携帯型の電話機やＰＤＡなどの情報端末に適用した事例を説明する。折り畳み式携帯電話１００の斜視図を図８に示す。同図に示す携帯電話１００はヒンジメカニズム（ヒンジ部）１１０を利用して二つ折りタイプを実現しており、折り畳まずに開いた状態を示している。
【００３１】
輝度センサ１２０の配置としては、折り畳んだ際に外部から光が入射しない遮蔽構造となるように、有機ＥＬパネル１３０と対向して設けられ、なおかつ、その対向部分においてその中央に位置づけられる。また、この輝度センサ１２０は、デジタルカメラ内蔵型であればその光センサを兼用できる。
【００３２】
また、輝度センサ１２０で有機ＥＬパネル１３０の発光輝度の正確な測定を確保すべく、図９の側面図に示すように、携帯電話が折り畳まれてあるか否かを検出する部として遮光検出センサ１４０（輝度検出可能判定部）をヒンジ部１１０に設ける。同図に示すように、遮光検出センサ１４０の一例としては板ばね式のものを用い、有機ＥＬパネル１３０側に突起１４０ａを設けると共に、輝度センサ１２０側に板ばね１４０ｂを設ける。この構成により、輝度調整をすべく携帯電話１００を折り畳んだ際に板バネ１４０ｂが突起１４０ａの当接によって導通信号を出力する。このことで、上述の実施例のシーケンスにおける遮光状態の有無確認を実施することができる。この遮光検出センサ１４０の等価回路を示すと、例えば図１０のようになる。
【００３３】
また、遮光状態を検出するにあたり、前述したような遮光検出部を新たに設けることなく、非表示状態における輝度センサの出力が所定の閾値以下であれば遮光状態であると判断するようにしてもよい。この場合、遮光検出センサを新たに設けなくて済むため、部品手数を減らせて全体として簡易な構成で済ませることができる。
【００３４】
さらに、輝度センサを折り畳まずに開いた状態では、経時劣化による輝度補償の目的だけではなく、外光の影響を相殺すべく、有機ＥＬパネルの輝度調整をするための外光センサとしても用いることができる。
【００３５】
なお、本発明にあっては、画素の色として、Ｒ、Ｇ、Ｂ（赤、緑、青）の三色だけに限らず、他の色でもよい。
【００３６】
＝＝＝＝＝他の実用例＝＝＝＝＝
つぎに、上述した電子装置の一例として有機ＥＬ表示装置を具体的な電子機器に用いた例のいくつかについて説明する。まず、この実施形態に係る有機ＥＬ表示体をモバイル型のパーソナルコンピュータに適用した例について説明する。図１１は、このモバイル型のパーソナルコンピュータの構成を示す斜視図である。同図において、パーソナルコンピュータ１１００は、キーボード１１０２を備えた本体部１１０４と、表示ユニット１１０６とにより構成され、この表示ユニット１１０６が前述の有機ＥＬ表示装置を備えている。
【００３７】
また、図１２は前述の有機ＥＬ表示装置を、そのファインダに適用したディジタルスチルカメラの構成を示す斜視図である。なお、この図には外部機器との接続についても簡易的に示している。ここで通常のカメラは、被写体の光像によりフィルムを感光するのに対し、ディジタルスチルカメラ１３００は、被写体の光像をＣＣＤ（Ｃｈａｒｇｅ　Ｃｏｕｐｌｅｄ　Ｄｅｖｉｃｅ）などの撮像素子により光電変換して撮像信号を生成する。ディジタルスチルカメラ１３００におけるケース１３０２の背面には、前述の有機ＥＬ表示装置が設けられ、ＣＣＤによる撮像信号に基づいて表示を行う構成になっており、有機ＥＬ表示装置は被写体を表示するファインダとして機能する。また、ケース１３０２の観察側（図においては裏面側）には、光学レンズやＣＣＤなどを含んだ受光ユニット１３０４が設けられている。
【００３８】
撮影者が有機ＥＬ表示装置に表示された被写体像を確認しシャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１４３０が、また、後者のデータ通信用の入出力端子１３１４にはパーソナルコンピュータ１４３０が、それぞれ必要に応じて接続される。さらに、所定の操作により回路基板１３０８のメモリに格納された撮像信号が、テレビモニタ１４３０や、パーソナルコンピュータ１４４０に出力される構成になっている。
【００３９】
なお、本発明の有機ＥＬ表示装置が適用される電子機器としては、図１１のパーソナルコンピュータや、図１２のディジタルスチルカメラの他にも、テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器、スマートロボット、調光付き照明機器、電子書籍などが挙げられる。そして、これらの各種電子機器の表示部として、前述した有機ＥＬ表示装置が適用可能なのは言うまでもない。
【００４０】
電気光学素子に供給する駆動電流の量を調整することにより、輝度の変化を補償することができる。具体的には、輝度を一定に保つことができ、画像データの色再現性の劣化が極めて抑えることができる。
【図面の簡単な説明】
【図１】本発明に係る有機ＥＬ表示装置を示し、（ａ）は全体の制御ブロック図であり、（ｂ）は有機ＥＬ制御回路３０の制御ブロック図である。
【図２】本発明に係る有機ＥＬ表示装置の輝度補正のシーケンス制御を示すフローチャートである。
【図３】本発明に係る有機ＥＬ表示装置の輝度補正のシーケンス制御を示すフローチャートである。
【図４】本発明に係る有機ＥＬ表示装置における、画像データ値に対する輝度センサの出力電圧Ｅｏｕｔの特性グラフである。
【図５】本発明に係る有機ＥＬ表示装置のダイナミックな輝度補正に関するブロック図である。
【図６】本発明に係る有機ＥＬ表示装置を示し、（ａ）は全体の制御ブロック図であり、（ｂ）は有機ＥＬ制御回路３０の制御ブロック図である。
【図７】本発明に係る有機ＥＬ表示装置を示し、（ａ）は全体の制御ブロック図であり、（ｂ）は有機ＥＬ制御回路３０の制御ブロック図である。
【図８】本発明の実施例に係る有機ＥＬ表示装置の一実用例である折り畳み式携帯電話１００の斜視図である。
【図９】図８で示した携帯電話の側面図である。
【図１０】本発明の一実施形態に係る有機ＥＬ表示装置における遮光検出センサ１４０の等価回路図である。
【図１１】本発明の一実施例による電気光学装置を、モバイル型のパーソナルコンピュータに適用した場合の一例を示す図である。
【図１２】本発明の一実施例による電気光学装置を、そのファインダに適用したディジタルスチルカメラの斜視図である。
【符号の説明】
１０　　輝度センサ
２０　　アナログ−デジタル変換回路
３０　　有機ＥＬパネル制御回路
４０　　デジタル−アナログ変換器
５０　　ドライバ
６０　　有機ＥＬパネル
３０ａ　比較器３０ａ
３０ｂ　輝度テーブル
３０ｃ　出力電圧テーブル
３０ｄ　セレクタ
１００　携帯電話
１１０　ヒンジメカニズム（ヒンジ部）
１２０　輝度センサ
１３０　有機ＥＬパネル
１１００　パーソナルコンピュータ
１１０２　キーボード
１１０４　本体部
１１０６　表示ユニット
１３００　ディジタルスチルカメラ
１３０２　ケース
１３０４　受光ユニット
１３０６　シャッタボタン
１３０８　回路基板
１３１２　ビデオ信号出力端子
１３１４　データ通信用の入出力端子
１４３０　テレビモニタ
１４４０　パーソナルコンピュータ
【図１】
2004029714.tif 000003
【図２】
2004029714.tif 000004
【図３】
2004029714.tif 000005
【図４】
2004029714.tif 000006
【図５】
2004029714.tif 000007
【図６】
2004029714.tif 000008
【図７】
2004029714.tif 000009
【図８】
2004029714.tif 000010
【図９】
2004029714.tif 000011
【図１０】
2004029714.tif 000012
【図１１】
2004029714.tif 000013
【図１２】
2004029714.tif 000014